(57)【要約】【目的】エンジンのメンテナンスの容易化、運転座席の移動構成の簡素化および軽量化。【構成】走行装置３を有する機体フレーム１にエンジン１１を設け、該エンジン１１を覆うエンジンカバー１２の上方に運転座席９を設けたものにおいて、前記エンジンカバー１２は前後に設けた前側取付部材１５および横軸２４により該前側取付部材１５および横軸２４の軸周りに側方回動自在に構成すると共に、前記横軸２４近傍に設けた支持軸２５の軸周りに後方回動自在に構成したコンバイン等の作業車の運転座席。【選択図】    図９
2004249815.tif 000002
【特許請求の範囲】
【請求項１】
走行装置３を有する機体フレーム１にエンジン１１を設け、該エンジン１１を覆うエンジンカバー１２の上方に運転座席９を設けたものにおいて、前記エンジンカバー１２は前後に設けた前側取付部材１５および横軸２４により該前側取付部材１５および横軸２４の軸周りに側方回動自在に構成すると共に、前記横軸２４近傍に設けた支持軸２５の軸周りに後方回動自在に構成したコンバイン等の作業車の運転座席。
【請求項２】
請求項１において、前記エンジンカバー１２は該エンジンカバー１２と共に後方回動する支持体３６との間に所定以上の側方回動を規制する回動ストッパ３５を設けたコンバイン等の作業車の運転座席。
【請求項３】
請求項１または請求項２において、前記前側取付部材１５は軸棒形状に形成し、該前側取付部材１５が係合する固定側前支持部材１７は前側取付部材１５が嵌合係合するＵ型形状の係合部係合部１９を有して形成し、該係合部１９の開放方向は前記支持軸２５中心の後方回動方向に一致させて構成したコンバイン等の作業車の運転座席。
【発明の詳細な説明】
【０００１】
【発明の属する技術分野】
本発明は、コンバイン等の作業車に設けた運転座席の取付構成に関し、特に、エンジンを包囲するエンジンカバーの移動構成に関するものである。
【０００２】
【従来技術】
従来、走行装置を有する機体フレームにエンジンを設け、該エンジンの上方に運転部の運転座席を設けたものにおいて、前記運転座席は運転座席の前方に設けた左右方向の横軸の軸周りに前方に向けて回動自在に構成し、運転座席を上方に移動させてエンジンの周辺に空間を形成するようにした構成について記載されている（特許文献１参照）。
【０００３】
【特許文献１】
特開２０００−２３６７３２号公報（４〜５頁、図４、図６）
【０００４】
【発明が解決しようとする課題】
前記公知例は、エンジンの周辺に十分な作業空間が形成できないという課題がある。
即ち、運転座席を前方回動させてエンジンの周辺に作業空間を形成するには、回動中心をよほど前方に設けないと無理であり、前記公知例では十分な空間が確保できていない。
また、公知例は、回動中心と運転座席との間の距離を稼ぐ手法として、運転部全体を上方回動させているが、これでは、運転座席を上方移動させる作業は相当な重量物を持ち上げることになり、作業が容易でない。
本願は、エンジンの周辺に十分なメンテナンス用作業空間を形成し、しかも、エンジンカバーの移動作業を簡単にできるようにしたものである。
【０００５】
【発明の目的】
エンジンのメンテナンスの容易化、運転座席の移動構成の簡素化および軽量化。
【０００６】
【課題を解決するための手段】
本発明は、走行装置３を有する機体フレーム１にエンジン１１を設け、該エンジン１１を覆うエンジンカバー１２の上方に運転座席９を設けたものにおいて、前記エンジンカバー１２は前後に設けた前側取付部材１５および横軸２４により該前側取付部材１５および横軸２４の軸周りに側方回動自在に構成すると共に、前記横軸２４近傍に設けた支持軸２５の軸周りに後方回動自在に構成したコンバイン等の作業車の運転座席としたものであり、エンジンカバー１２は運転座席９と共に前側取付部材１５および横軸２４の軸心を中心に側方回動させると、エンジン１１の前側や上方および側方を開放して、メンテナンス作業が簡単に行える。
次に、エンジンカバー１２を支持軸２５中心に後側回動させるようにすると、前側取付部材１５は固定側前支持部材１７から外ずれ、そのままエンジンカバー１２は支持軸２５中心に後側回動し、エンジン１１の外側の側方に人が立入可能な作業空間を形成する。反対に、エンジンカバー１２を支持軸２５中心に前方回動させると、前側取付部材１５は固定側前支持部材１７に嵌り、この状態でエンジンカバー１２はエンジンカバー１２ごと前側取付部材１５および横軸２４の軸心を中心に上方回動させると、元の状態に戻る。
本発明は、前記エンジンカバー１２は該エンジンカバー１２と共に後方回動する支持体３６との間に所定以上の側方回動を規制する回動ストッパ３５を設けたコンバイン等の作業車の運転座席としたものであり、エンジンカバー１２は前側取付部材１５および横軸２４の軸心を中心に側方回動させると、回動ストッパ３５の規制部材３７がエンジンカバー１２と支持体３６とを繋いだ状態にし、所定以上のエンジンカバー１２の側方回動を規制する。
したがって、前側取付部材１５および横軸２４を中心に側方回動させて回動ストッパ３５により所定位置で停止させたエンジンカバー１２を、この状態で、前側取付部材１５を固定側前支持部材１７から外づすように支持軸２５中心に後方回動させればよく、操作性を向上させる。
本発明は、前記前側取付部材１５は軸棒形状に形成し、該前側取付部材１５が係合する固定側前支持部材１７は前側取付部材１５が嵌合係合するＵ型形状の係合部係合部１９を有して形成し、該係合部１９の開放方向は前記支持軸２５中心の後方回動方向に一致させて構成したコンバイン等の作業車の運転座席としたものであり、固定側前支持部材１７は支持軸２５中心に後方回動させるときの、後方回動方向に開放しているから、ワンタッチ脱着ができ、操作が簡単であり、また、エンジンカバー１２を通常状態に戻しても、エンジンカバー１２の荷重は下向きに掛かるので、上方開放させた構成でも支障がなく、合理的な構成になる。
【０００７】
【発明の効果】
請求項１の場合、エンジンカバー１２を側方移動させてから横軸周りに後方回動することで、エンジン１１の周辺に広いメンテナンス作業用の空間を形成でき、しかも、エンジンカバー１２の移動作業自体も容易にできる。
請求項２の場合、前記効果に加えて、エンジンカバー１２の側方移動を規制することで横軸周りの後方回動作業を容易にでき、操作性および作業性を向上させる。
請求項３の場合、前記効果に加えて、支持構成を複雑にすることなく、エンジンカバー１２の後方回動作業をワンタッチで容易にでき、合理的構成となる。
【０００８】
【発明の実施の形態】
本発明の実施例を図面により説明すると、１は作業車の機体フレームであり、コンバインの例にて説明する。機体フレーム１の下方には左右一対のクローラ２からなる走行装置３を設け、走行装置３の上方の一側には脱穀装置（図示省略）を設け、脱穀装置の側部には該脱穀装置により脱穀した穀粒を貯留するグレンタンク５を設け、該グレンタンク５の前側には操縦部６を設ける。７は刈取部である。
操縦部６には作業者の立つステップ８および作業者の着座する運転座席９および運転座席９の前側に設けたスイッチやレバー類を有する操作ボックス１０等により構成する。
【０００９】
前記運転座席９は機体フレーム１の上方に設けたエンジン１１の一部または全部を包囲する任意形状のエンジンカバー１２に取付ける。実施例のエンジンカバー１２は運転座席９を取付けた運転座席支持部１３をエンジン１１の上方に設け、運転座席支持部１３の外側にエンジン１１の側方を包囲するサイドカバー１４を設けて形成しているが、補強フレーム（図示省略）を設けてもよい。
サイドカバー１４の下縁には前側取付部材１５と後側取付部材１６とを前後に並設する。前側取付部材１５は機体フレーム１側に設けた固定側前支持部材１７に着脱自在および回動自在に取付ける。前側取付部材１５は軸棒部材により「コ」の字形状に形成する。
【００１０】
固定側前支持部材１７は下部に前側取付部材１５が嵌合して係合するＵ型形状の係合部１９に形成し、係合部１９の上部は前側取付部材１５より狭幅で変形可能な狭小部２０に形成し、狭小部２０の上側に上方に至るに従い互いに離れるように傾斜させた案内部２１を形成し、前側取付部材１５は案内部２１に案内されて上方より狭小部２０を一旦拡大させて係合部１９に係合し、係合部１９に係合すると係合部１９に嵌合した前側取付部材１５中心にエンジンカバー１２全体を外側へ横軸回動可能にし、着脱および回動の何れもが自在となるように構成する。
この場合、前側取付部材１５と固定側前支持部材１７とは相対的に着脱自在および回動自在になればよく、前側取付部材１５に係合部１９を形成し、固定側前支持部材１７を軸棒形状に形成してもよい。
２２は固定側前支持部材１７のステー部である。
【００１１】
前記後側取付部材１６は下向き「コ」の字形状に形成し、後側取付部材１６は機体フレーム１側に設けた後側支持部材２３に前後方向の横軸２４および左右方向の支持軸２５の夫々中心に前後および側方回動自在に取付ける。
即ち、後側支持部材２３は前後一対の平板により構成し、後側支持部材２３の上部に後側取付部材１６を前側取付部材１５と略同一軸心状に配置した横軸２４により側方回動自在に取付け、後側支持部材２３の下部は左右方向の支持軸２５に固定し、支持軸２５は機体フレーム１に設けた軸受部材２６に回転自在に取付ける。
前記軸受部材２６は運転座席９の下方に設けたエンジン１１を機体フレーム１に搭載するエンジンマウント２９に設けると、別途機体フレーム１への取付部材を省略できて、好適である。
２９は前記エンジン１１を機体フレーム１に搭載するエンジンマウント、３０はラジエター、３１はラジエターファン、３２はサイドカバー１４に設けたラジエターグリルである。
【００１２】
しかして、運転座席９およびエンジンカバー１２の回動ストッパ３５を設ける。回動ストッパ３５は、支持軸２５に軸棒形状の支持体３６の基部（下部）を支持軸２５に対して交差方向に固定し、支持体３６の先端とエンジンカバー１２との間を規制部材３７により連結し、エンジンカバー１２の側方回動を規制する。
実施例で、規制部材３７は可撓性を有するワイヤにより形成している。
したがって、エンジンカバー１２は、横軸２４を中心に側方回動させ、この側方回動を回動ストッパ３５により所定位置で規制し、この状態で、前側取付部材１５を固定側前支持部材１７から外すと、支持軸２５中心に後方回動し、エンジン１１周辺を開放する。
この場合、固定側前支持部材１７の係合部１９は支持軸２５中心に後方回動させるときの、後方回動方向に開放しているから、ワンタッチ脱着ができ、操作が簡単であり、また、エンジンカバー１２を包囲状態に戻しても、エンジンカバー１２の荷重は下向きに掛かるので、係合部１９は上方開放させた形状でも支障がなく、合理的な構成になる。
【００１３】
また、図中、３９は運転座席支持部１３の前側に設けたフロントカバーであり、エンジンカバー１２と一体に側方回動および後方回動するようにしてもよい。図中、４０はロック装置であり、機体固定部に係合体４１を設け、エンジンカバー１２に係合フック４２を設けて構成している。４３はエアクリーナー、４４はエアクリーナーカバーである。
【００１４】
しかして、図１０はエンジンカバー１２およびエンジンカバー１２のオープン構成の他の実施例であり、軸受部材２６を所定長さの筒部材により形成し、支持軸２５が軸受部材２６に対して摺動自在に構成する。そのため、側方回動あるいは後方回動させたエンジンカバー１２およびエンジンカバー１２を側方に引き出してエンジン１１周辺を開放し、開放空間を拡大できる。
しかして、図１１以下はエンジン１１およびコンプレッサー４５の配置構成の実施例であり、エンジン１１は運転座席９の下方に位置させ、コンプレッサー４５は操縦部６のステップ８の下方の機体フレーム１にマウント４６を介して設ける。コンプレッサー４５の右側には入力プーリ４７を設け、入力プーリ４７とエンジン１１の右側に設けた出力プーリ４８との間にはベルト４９を掛け回す。
従来、特開平１１−１３７０６４号公報のように、清掃用に圧縮空気を利用し、この圧縮空気を供給するコンプレッサーはグレンタンクと脱穀部との間に設けているが、エンジンからの距離が遠く、伝動経路が複雑であった。
【００１５】
本願では、ステップ８の下方に設けているから、ベルト４９一つで伝動でき、頗るコストを低くでき、また、マウント４６を介して取付けているから、振動および騒音を軽減でき、ステップ８の下方空間を有効利用できる。
また、操縦部６の操作ボックス１０等の所望位置にはコンプレッサー４５の圧力計５０を設ける。コンプレッサー４５の圧力状況が、コンバイン操作しながら確認でき、操作性を向上させる。
また、コンプレッサー４５はエンジン１１の近くにあるので、エンジン１１のエアクリーナー４３を共用でき、配管が容易になり、部品共通化によりコストを低くする（図７）。
【００１６】
次に実施例の作用を述べる。
操縦部６の運転座席９に着座し、エンジン１１を始動させ、走行装置３により機体を走行させ、刈取部７で刈取り、刈り取った穀稈を脱穀装置により脱穀する。
しかして、所定期間作業を作業すると、エンジンカバー１２を移動させてエンジン１１の周囲を開放し、メンテナンス作業を行う。
エンジンカバー１２は、運転座席９を支持する運転座席支持部１３の外側にエンジン１１の側方を包囲するサイドカバー１４を一体状に設け、サイドカバー１４の下縁には前側取付部材１５と後側取付部材１６とを前後に並設し、前側取付部材１５は機体フレーム１側に設けた固定側前支持部材１７に着脱自在および回動自在に取付け、後側取付部材１６は機体フレーム１側に設けた後側支持部材２３に前後方向の横軸２４および左右方向の支持軸２５の夫々中心に前後および側方回動自在に取付けているから、前側取付部材１５および横軸２４の軸心を中心にエンジンカバー１２を側方回動させると、エンジン１１の前側や上方および側方を開放して、メンテナンス作業を簡単に行える。
【００１７】
次に、前側取付部材１５は固定側前支持部材１７に対して相対的に着脱自在に構成し、後側取付部材１６は後側支持部材２３を介して支持軸２５中心に回動自在に取付けているから、前側取付部材１５を固定側前支持部材１７から外すようにエンジンカバー１２を支持軸２５中心に後側回動させると、エンジンカバー１２は支持軸２５中心に後側回動してエンジン１１の外側の側方に人が立入可能な作業空間を形成する。
したがって、エンジン１１のオイル交換やラジエター３０の注水口より冷却用水（不凍液等の添加材を含む）を補給する等のメンテナンスができる。
【００１８】
この場合、前側取付部材１５は軸棒部材により形成し、固定側前支持部材１７は下部に前側取付部材１５が嵌合して係合するＵ型形状の係合部係合部１９に形成し、係合部１９の上部は前側取付部材１５より狭幅で変形可能な狭小部２０に形成し、狭小部２０の上側に上方に至るに従い互いに離れるように傾斜させた案内部案内部２１を形成しているから、前側取付部材１５は係合部１９に対して上方に移動させれば、係合部１９より離脱し、この係合部１９からの離脱方向をエンジンカバー１２の支持軸２５中心の後側回動方向に一致させることができ、前側取付部材１５の着脱と回動を兼用する構成を合理的に、安価に達成できる。
また、反対に、前側取付部材１５は係合部１９に対して上方から嵌めると、案内部２１に案内されて上方より狭小部２０を一旦拡大させて係合部１９に係合するから、包囲状態のときは、前側取付部材１５に掛かる荷重は固定側前支持部材１７の係合部１９が支受するので、支持構成に影響しない。
【００１９】
しかして、エンジンカバー１２には規制部材３７の一端を係止し、サイドカバー１４の内側の支持軸２５に固定した軸棒形状の支持体３６の先端に規制部材３７の他端を係止して、エンジンカバー１２と支持体３６の先端との間に回動ストッパ３５を設けているから、前側取付部材１５および横軸２４の軸心を中心とする一定以上のエンジンカバー１２の側方回動を規制する。
したがって、前側取付部材１５および横軸２４を中心に側方回動させて回動ストッパ３５により所定位置で停止させたエンジンカバー１２を、この状態で、前側取付部材１５を固定側前支持部材１７から外して支持軸２５中心に後方回動させればよく、操作性を向上させる。
【００２０】
この場合、固定側前支持部材１７は支持軸２５中心に後方回動させるときの、後方回動方向に開放しているから、ワンタッチ脱着ができ、操作が簡単であり、また、エンジンカバー１２を包囲状態に戻しても、エンジンカバー１２の荷重は下向きに掛かるので、係合部１９は上方開放させた構成でも支障がなく、合理的な構成になる。
また、実施例のエンジンカバー１２は、サイドカバー１４とフロントカバー３９と共に側方および後側回動させるが、エアクリーナー４３およびエアクリーナーカバー４４は残して回動させるので、大きくエンジン１１の周囲を開放しつつ開放作業は簡単となる。
【００２１】
しかして、図１０のエンジンカバー１２のオープン構成の他の実施例では、軸受部材２６を所定長さの筒部材により形成し、支持軸２５が軸受部材２６に対して摺動自在に構成しているから、エンジンカバー１２を側方回動あるいは後方回動させ、次にエンジンカバー１２を側方に引き出すと、支持軸２５が軸受部材２６を案内にして外側に摺動し、これにより、エンジン１１周辺を開放し、開放空間を拡大できる。
なお、図示は省略するが、エンジンカバー１２は、外側に移動させた後にスタンド等の支持部材により支持させてもよい。
また、エンジンカバー１２を側方摺動自在構成としたとき、前記回動ストッパ３５の支持体３６は軸受部材２６より外側の支持軸２５に固定し、支持軸２５の摺動に干渉しないようにすると、合理的な構成となって、好適である。
【図面の簡単な説明】
【図１】作業車（コンバイン）の運転座席部分の側面図。
【図２】同一部縦断正面図。
【図３】同斜視図。
【図４】エンジンカバーの取付部材の斜視図。
【図５】同側方回動状態の斜視図。
【図６】前側取付部材が固定側前支持部材に係合した状態の正面図。
【図７】エンジンカバーの側方回動状態側面図。
【図８】同正面図。
【図９】同後方回動状態側面図。
【図１０】エンジンカバーが側方に移動するオープン構成の実施例の正面図。
【図１１】コンバインの平面図。
【図１２】エンジンとコンプレッサを示す正面図。
【図１３】コンバインの平面図。
【符号の説明】
１…機体フレーム、２…クローラ、３…走行装置、４…脱穀装置、５…グレンタンク、６…操縦部、８…ステップ、９…運転座席、１０…操作ボックス、１１…エンジン、１４…サイドカバー、１５…前側取付部材、１６…後側取付部材、１７…固定側前支持部材、１９…係合部、２０…狭小部、２１…案内部、２２…ステー、２３…後側支持部材、２４…横軸、２５…支持軸、２６…軸受部材、２９…エンジンマウント、３０…ラジエター、３１…ラジエターファン、３２…ラジエターグリル、３５…回動ストッパ、３６…支持体、３７…規制部材、４０…ロック装置、４１…係合体、４２…係合フック、４３…エアクリーナー、４５…コンプレッサー、４６…マウント４６、４７…入力プーリ、４８…出力プーリ、４９…ベルト、５０…圧力計。
【図１】
2004249815.tif 000003
【図２】
2004249815.tif 000004
【図３】
2004249815.tif 000005
【図４】
2004249815.tif 000006
【図５】
2004249815.tif 000007
【図６】
2004249815.tif 000008
【図７】
2004249815.tif 000009
【図８】
2004249815.tif 000010
【図９】
2004249815.tif 000011
【図１０】
2004249815.tif 000012
【図１１】
2004249815.tif 000013
【図１２】
2004249815.tif 000014
【図１３】
2004249815.tif 000015